【手続補正書】
【提出日】平成18年11月7日(2006.11.7)
【手続補正１】
【補正対象書類名】明細書
【補正対象項目名】特許請求の範囲
【補正方法】変更
【補正の内容】
【特許請求の範囲】
【請求項１】  漏洩防止・再シール可能なコンテナ・キャップ・アセンブリの使用方法であって：
コンテナ・キャップ・アセンブリを片手でつかむ段階と；
親指タブでコンテナ・キャップ・アセンブリを開く段階であって、
ａ）キャップはコンテナと一体に取り付けられていて；
ｂ）前記コンテナは上部と内表面と外表面とを有しており、前記コンテナが前記上部に円筒状の直立した縁を有していて、前記縁は、前記キャップの内壁に接触する前記コンテナの部分として形成されており、前記縁は縁内壁面と縁外壁面とを有していて、従って前記縁内壁面は前記コンテナの前記内表面にほぼ平行であって；
ｃ）前記キャップは外周面を有する円形ベースと、前記円形ベースの外周面から垂直かつ外方向に延伸している円筒状の管状スカートとを有しており、前記スカートが内壁を有していて、前記スカートの内壁は第一部分と第二部分と第三部部と第四部分との少なくとも四つの部分を備えていて、前記第一部分は円錐状に傾斜し、前記スカートの頂部から下向きに延伸し、そしてほぼ平面であり、前記第二部分は前記第一部分に接続し、そして前記円形ベースに対しほぼ直交していて、前記第一部分から下向きに延伸しており、そしてほぼ平面であり、前記第三部分は前記第二部分に接続し、前記第二部分から下向きに延伸していて、前記第四部分は前記第三部分に接続し、前記第三部分から下向きに延伸しており、前記内壁は、前記スカートの内壁の少なくとも前記第三部分及び第四部分とにより形成された少なくとも一つのキャップリセスを有していて、前記キャップが対向している両端部を有しており、前記コンテナの開閉を容易にするための親指タブを含んでいて、
ｄ）前記キャップは前記コンテナに付着したヒンジを有しており、前記ヒンジは、前記キャップを一つのピボット点において回転するようになっている少なくとも一つのヒンジリセス曲げ点を有していて、前記親指タブと前記ヒンジとは、前記キャップのほぼ反対側に位置していて、そして前記キャップの前記スカートから垂直かつ外向きに延びている、親指タブでコンテナ・キャップ・アセンブリを開く段階と；
前記コンテナ・キャップ・アセンブリを片手でつかむ段階と；
前記キャップの前記スカートを前記コンテナをかぶせ、そして前記コンテナの前記縁の少なくとも一部分が前記キャップの前記スカートの前記内壁の前記キャップのリセスに係合し、漏洩防止シールを形成するようになるまで、前記キャップの前記親指タブに十分な前方下向きの力を片手で作用する段階であって、前記漏洩防止シールはインターロック機構なしに形成されているものであって、この場合前記インターロック機構は、前記コンテナの前記縁にかみ合う環状チャンネルを形成するべく協働するようになっている、突起とギャップと前記キャップの前記環状スカートとから構成されているものであって、前記環状チャンネルは、前記環状突起と前記キャップの前記スカートの前記内壁との間に形成された環状ギャップであって、従って前記環状突起は前記キャップの内表面から突出していて、そして前記キャップの前記内表面に対してほぼ直交している、段階と；
前記コンテナ・キャップ・アセンブリを片手でつかむ段階と；
前記コンテナ及びキャップを開く段階と；
前記コンテナ・キャップ・アセンブリを片手でつかむ段階と；
再度、前記キャップの前記スカートを前記コンテナをかぶせ、そして前記コンテナの前記縁の少なくとも一部分が前記キャップの前記スカートの前記内壁の前記キャップのリセスに係合し、漏洩防止シールを形成するようになるまで、前記キャップの前記親指タブに十分な前方下向きの力を作用する段階と；
を含んでいる漏洩防止・再シール可能なコンテナ・キャップ・アセンブリの使用方法。
【請求項２】  漏洩防止・再シール可能なコンテナ・キャップ・アセンブリの形成方法であって：
コンテナ・キャップ・アセンブリを片手でつかむ段階と；
親指タブでコンテナ・キャップ・アセンブリを開く段階であって、
ａ）キャップはコンテナと一体に取り付けられていて；
ｂ）前記コンテナは上部と内表面と外表面とを有しており、前記コンテナが前記上部に円筒状の直立した縁を有していて、前記縁は、前記キャップの内壁面に接触する前記コンテナの部分として形成されており、前記縁は縁内壁面と縁外壁面とを有していて、従って前記縁内壁面は前記コンテナの前記内表面にほぼ平行であって；
ｃ）前記キャップは外周面を有する円形ベースと、前記円形ベースの外周面から垂直かつ外方向に延伸している円筒状の管状スカートとを有しており、前記スカートが内壁を有していて、前記スカートの内壁は第一部分と第二部分と第三部分と第四部分との少なくとも四つの部分を備えていて、前記第一部分は円錐状に傾斜し、前記スカートの頂部から下向きに延伸し、そしてほぼ平面であり、前記第二部分は前記第一部分に接続し、そして前記円形ベースに対しほぼ直交していて、前記第一部分から下向きに延伸しており、そしてほぼ平面であり、前記第三部分は前記第二部分に接続し、前記第二部分から下向きに延伸していて、前記第四部分は前記第三部分に接続し、前記第三部分から下向きに延伸しており、前記内壁面は、前記スカートの内壁の少なくとも前記第三部分及び第四部分とにより形成された少なくとも一つのキャップリセスを有していて、前記キャップが対向している両端部を有しており、前記コンテナの開閉を容易にするための親指タブを含んでいて、
ｄ）前記キャップは前記コンテナに付着したヒンジを有しており、前記ヒンジは、前記キャップを一つのピボット点において回転するようになっている少なくとも一つのヒンジリセス曲げ点を有していて、前記親指タブと前記ヒンジとは、前記キャップのほぼ両端部に位置していて、そして前記キャップの前記スカートから垂直かつ外向きに延びている、親指タブでコンテナ・キャップ・アセンブリを開く段階と；
前記コンテナ・キャップ・アセンブリを片手でつかむ段階と；
前記キャップの前記スカートを前記コンテナをかぶせ、そして前記コンテナの前記縁の少なくとも一部分が前記キャップの前記スカートの前記内壁の前記キャップのリセスに係合し、漏洩防止シールを形成するようになるまで、前記キャップの前記親指タブに十分な前方下向きの力を片手で作用する段階であって、前記漏洩防止シールはインターロック機構なしに形成されているものであって、この場合前記インターロック機構は、前記コンテナの前記縁にかみ合う環状チャンネルを形成するべく協働するようになっている、突起とギャップと前記キャップの前記環状スカートとから構成されているものであって、前記環状チャンネルは、前記環状突起と前記キャップの前記スカートの前記内壁との間に形成された環状ギャップであって、従って前記環状突起は前記キャップの内表面から突出していて、そして前記キャップの内表面に対してほぼ直交している、段階と；
前記コンテナ・キャップ・アセンブリを片手でつかむ段階と；
前記コンテナ及びキャップを開く段階と；
前記コンテナ・キャップ・アセンブリを片手でつかむ段階と；
再度、前記キャップの前記スカートを前記コンテナをかぶせ、そして前記コンテナの前記縁の少なくとも一部分が前記キャップの前記スカートの前記内壁の前記キャップのリセスに係合し、漏洩防止シールを形成するようになるまで、前記キャップの前記親指タブに十分な前方下向きの力を作用する段階と；
を含んでいる漏洩防止・再シール可能なコンテナ・キャップ・アセンブリの形成方法。
【請求項３】  フランジが前記コンテナの外表面から半径方向外側に突出している、請求項１に記載の漏洩防止・再シール可能なコンテナ・キャップ・アセンブリの使用方法。
【請求項４】  前記コンテナ・キャップ・アセンブリがプラスチックで成形されている、請求項１に記載の漏洩防止・再シール可能なコンテナ・キャップ・アセンブリの使用方法。
【請求項５】  前記ヒンジのリセスが、前記キャップの前記スカートに付着された第１エレメントと、前記コンテナに付着された第２エレメントの二つのエレメントを形成し、前記リセスが前記コンテナの開閉中、曲げ点として機能する、請求項４に記載の漏洩防止・再シール可能なコンテナ・キャップ・アセンブリの使用方法。
【請求項６】  前記ヒンジの第１エレメントは、前記リセスの中心線から前記キャップの外周辺に向かって計測した寸法が、約0.762mm（約0.03in）から約3.175mm（約0.125in）の間である、請求項５に記載の漏洩防止・再シール可能なコンテナ・キャップ・アセンブリの使用方法。
【請求項７】  前記ヒンジの第２エレメントは、前記リセスの中心線から前記コンテナの外周辺に向かって計測した寸法が、約2.54mm（約0.1in）から約4.953mm（約0.195in）の間であることを特徴とする、請求項５に記載の漏洩防止・再シール可能なコンテナ・キャップ・アセンブリの使用方法。
【請求項８】  前記親指タブは、前記キャップの外周辺から前記親指タブの端に向かって計測した寸法が約3.175mm（約0.125in）から約8.255mm（約0.325in）の間である、漏洩防止・再シール可能なコンテナ・キャップ・アセンブリの使用方法。
【請求項９】  気密に再シール可能なコンテナ・キャップ・アセンブリの使用方法であって：
コンテナ・キャップ・アセンブリを片手でつかむ段階と；
親指タブでコンテナ・キャップ・アセンブリを開く段階であって、
ａ）キャップはコンテナと一体に取り付けられていて；
ｂ）前記コンテナは上部と内表面と外表面とを有しており、前記コンテナが前記上部に円筒状の直立した縁を有していて、前記縁は、前記キャップの内壁面に接触する前記コンテナの部分として形成されており、前記縁は縁内壁面と縁外壁面とを有していて、従って前記縁内壁面は前記コンテナの前記内表面にほぼ平行であって；
ｃ）前記キャップは外周面を有する円形ベースと、前記円形ベースの外周面から垂直かつ外方向に延伸している円筒状の管状スカートとを有しており、前記スカートが内壁を有していて、前記スカートの内壁は第一部分と第二部分と第三部部と第四部分との少なくとも四つの部分を備えていて、前記第一部分は円錐状に傾斜し、前記スカートの頂部から下向きに延伸し、そしてほぼ平面であり、前記第二部分は前記第一部分に接続し、そして前記円形ベースに対しほぼ直交していて、前記第一部分から下向きに延伸しており、そしてほぼ平面であり、前記第三部分は前記第二部分に接続し、前記第二部分から下向きに延伸していて、前記第四部分は前記第三部分に接続し、前記第三部分から下向きに延伸しており、前記内壁面は、前記スカートの内壁の少なくとも前記第三部分及び第四部分とにより形成された少なくとも一つのキャップリセスを有していて、前記キャップが対向している両端部を有しており、前記コンテナの開閉を容易にするための親指タブを含んでいて、
ｄ）前記キャップは前記コンテナに付着したヒンジを有しており、前記ヒンジは、前記キャップを一つのピボット点において回転するようになっている少なくとも一つのヒンジリセス曲げ点を有していて、前記親指タブと前記ヒンジとは、前記キャップのほぼ両端部に位置していて、そして前記キャップの前記スカートから垂直かつ外向きに延びている、親指タブでコンテナ・キャップ・アセンブリを開く段階と；
前記コンテナ・キャップ・アセンブリを片手でつかむ段階と；
前記キャップの前記スカートを前記コンテナをかぶせ、そして前記コンテナの前記縁の少なくとも一部分が前記キャップの前記スカートの前記内壁の前記キャップのリセスに係合し、漏洩防止シールを形成するようになるまで、前記キャップの前記親指タブに十分な前方下向きの力を片手で作用する段階であって、前記漏洩防止シールはインターロック機構なしに形成されているものであって、この場合前記インターロック機構は、前記コンテナの前記縁にかみ合う環状チャンネルを形成するべく協働するようになっている、突起とギャップと前記キャップの前記環状スカートとから構成されているものであって、前記環状チャンネルは、前記環状突起と前記キャップの前記スカートの前記内壁との間に形成された環状ギャップであって、従って前記環状突起は前記キャップの内表面から突出していて、そして前記キャップの内表面に対してほぼ直交している、段階と；
前記コンテナ・キャップ・アセンブリを片手でつかむ段階と；
前記コンテナ及びキャップを開く段階と；
前記コンテナ・キャップ・アセンブリを片手でつかむ段階と；
再度、前記キャップの前記スカートを前記コンテナをかぶせ、そして前記コンテナの前記縁の少なくとも一部分が前記キャップの前記スカートの前記内壁の前記キャップのリセスに係合し、漏洩防止シールを形成するようになるまで、前記キャップの前記親指タブに十分な前方下向きの力を作用する段階と；
を含んでいる気密に再シール可能なコンテナ・キャップ・アセンブリの使用方法。
【請求項１０】  前記ヒンジの前記リセスが、前記スカートに付着した第１エレメントと、前記コンテナに付着した第２エレメントの二つのエレメントを形成し、前記第１エレメントは、前記リセスの中心線から前記キャップの外周辺に向かって計測した寸法が約0.762mm（約0.03in）から約3.175mm（約0.125in）までの間であり、
前記キャップの前記内壁の前記リセスが、基準垂直線から約１５度から約３５度までの角平面を有する、請求項９に記載の気密に再シール可能なコンテナ・キャップ・アセンブリの使用方法。
【請求項１１】  閉状態における前記コンテナ・キャップ・アセンブリの水に対する気密性能は、三日を経て約１５０μｇより少ない、請求項９に記載の気密に再シール可能なコンテナ・キャップ・アセンブリの使用方法。